(57)【要約】【課題】簡単な構造で生産性がよく、しかも高強度の引出付き箱を提供する。【解決手段】六面体であって少なくとも正面に開口を有する箱主体１と、箱主体１の内部を上下に仕切る仕切部材２と、箱主体１の仕切部材２で仕切った少なくとも下の領域に出し入れ自在に装填する上面開口状の引出箱３で構成し、前記仕切部材２は、水平板と、その水平板の両側縁に下向きに屈曲させた脚片を設けてなり、各脚片を箱主体１の側板６内面に当接させて固定するようにした。【選択図】        図１
2004210370.tif 000002
【特許請求の範囲】
【請求項１】
六面体であって少なくとも正面に開口を有する箱主体と、箱主体の内部を上下に仕切る仕切部材と、箱主体の仕切部材で仕切った少なくとも下の領域に出し入れ自在に装填する上面開口状の引出箱で構成し、
前記仕切部材は、水平板と、その水平板の両側縁に下向きに屈曲させた脚片を設けてなり、各脚片を箱主体の側板内面に当接させて固定するようにしたことを特徴とする引出付き箱。
【請求項２】
前記箱主体の開口縁にその箱主体の側板内面に重合させる重合片を形成し、その重合片で前記仕切部材の脚片先端を挟むか、又は、その脚片の端面と重合片の端面同士を突き合わせて仕切部材を固定するようにしたことを特徴とする請求項１記載の引出付き箱。
【請求項３】
前記箱主体は、仕切部材で仕切った上の領域を上面開口状の筒形にして枠状頂部を形成すると共にその枠状頂部にトレー部材を嵌合させるようになし、さらにそのトレー部材の上面に蓋状の天板を被せるようにしたことを特徴とする請求項１記載の引出付き箱。
【発明の詳細な説明】
【０００１】
【発明の属する技術分野】
本発明は、小物入れや包装用容器として使用する引出付き箱に関する。
【０００２】
【発明の目的】
簡単な構造で生産性がよく、しかも高強度の引出付き箱を提供する。
【０００３】
【目的を達成するための手段】
上記の目的を達成するため本発明は、六面体であって少なくとも正面に開口を有する箱主体と、箱主体の内部を上下に仕切る仕切部材と、箱主体の仕切部材で仕切った少なくとも下の領域に出し入れ自在に装填する上面開口状の引出箱で構成し、前記仕切部材は、水平板と、その水平板の両側縁に下向きに屈曲させた脚片を設けてなり、各脚片を箱主体の側板内面に当接させて固定するようにした引出付き箱を提供する。
【０００４】
また、請求項２に記載したように、前記箱主体の開口縁にその箱主体の側板内面に重合させる重合片を形成し、その重合片で前記仕切部材の脚片先端を挟むか、又は、その脚片の端面と重合片の端面同士を突き合わせて仕切部材を固定するようにしたを引出付き蓋を提供する。
【０００５】
また、請求項３に記載したように、前記箱主体は、仕切部材で仕切った上の領域を上面開口状の筒形にして枠状頂部を形成すると共にその枠状頂部にトレー部材を嵌合させるようになし、さらにそのトレー部材の上面に蓋状の天板を被せるようにした引出付き箱を提供する。
【０００６】
【発明の実施形態１】
以下に本発明の実施形態１を図１〜図５を参照しつつ説明する。図１に示したように実施形態１の引出付き箱は、例えば直方体や立方体などの六面体であって正面を開口させた箱主体１と、箱主体１の内部を上下に仕切る仕切部材２と、箱主体１の仕切部材２で仕切った上下の領域に出し入れ自在に装填する上面開口状の引出箱３で構成される。
【０００７】
前記箱主体１は、全体が紙（板紙又は段ボール紙）又は合成樹脂製であって、図３に示したように、正面が開口する外箱１ａに筒枠状の内枠１ｂを嵌め込んでなる。外箱１ａは、天板４と底板５と左右の側板６，６及び後ろの後板７で構成される単純な箱形態である。一方、内枠１ｂは、図４（ａ）に展開図を示したように、外箱１ａの天板４と底板５に対応する天板４０と底板５０がそれらとほぼ同形状であり、同じく側板６に対応する部分の重合片６０，６０が、側板６，６より短い奥行きになっている。なお、図４（ａ）において破線は谷折り線、一点鎖線は山折り線である。
しかして外箱１ａの外周には化粧紙（図示せず）が貼られており、その化粧紙を内枠１ｂの内周にまで入り込まることにより、化粧紙を介して外箱１ａと内枠１ｂが一体になっている。
【０００８】
前記仕切部材２は図３に示したように、水平板２ａと、その水平板２ａの両側縁と後縁に下向きに屈曲させた脚片２ｂ，２ｂ，２ｂを設け、さらに水平板２ａの両側縁と後縁に上向きに屈曲させた幕片２ｃ，２ｃ，２ｃを設けてなる。このように脚片２ｂ，２ｂ，２ｂと幕片２ｃ，２ｃ，２ｃを水平板２ａの同所に設けることに対応するため、水平板２ａを、図４（ｂ）の展開図に示したように倍のサイズの紙片を半分に折った二重構造とした。なお、図４（ｂ）において破線は谷折り線、一点鎖線は山折り線である。また、水平板２ａの両側縁に設けた脚片２ｂ，２ｂと幕片２ｃ，２ｃの寸法は、水平板２ａの奥端を基点としてほぼ（箱主体１の側板６の奥行き一重合片６０の奥行き）の長さに設定されている。
【０００９】
前記引出箱３は上面開口状の単純な箱であり、一例として紙又は合成樹脂シートを素材とする場合の展開図を図５（ａ），（ｂ）に示した。なお、図５（ａ）において破線は谷折り線、一点鎖線は山折り線であり、この折線に従えば図１に示したような引出箱３が組み上がる。なお、図５（ａ）にある二つの点８，８は小さな透孔であり、この透孔８，８に紐を通して図１に示したような摘み９を取り付ける。また、図５（ｂ）は引出箱３の底に敷く化粧用の敷き板１０である。
【００１０】
次に実施形態１の引出付き箱の組立方法について説明する。先ず、図３の分解斜視図に示したように、外箱１ａに内枠１ｂを入れて箱主体１を形成し、さらに箱主体１の開口から仕切部材２を差し入れる。そうすると、水平板２ａの後縁に設けた脚片２ｂと幕片２ｃが箱主体１の後板７内面に当接し、一方、水平板２ａの両側縁に設けた脚片２ｂ，２ｂと幕片２ｃ，２ｃが箱主体１の側板６内面に当接する。前記のように水平板２ａの両側縁に設けた脚片２ｂ，２ｂと幕片２ｃ，２ｃは、側板６の奥行きから重合片６０の奥行きを引いた長さに設定されているから、脚片２ｂ，２ｂと幕片２ｃ，２ｃは箱主体１の外箱１ａの内面に直に当接し、従って脚片２ｂ，２ｂ及び幕片２ｃ，２ｃの端面と重合片６０の端面同士が突き合わさる。よって仕切部材２が開口から抜けない状態にロックされるから、引出箱３を出し入れすることが可能になる。
【００１１】
【発明の実施形態２】
次に本発明の実施形態２を図６〜図９を参照しつつ説明する。なお、実施形態２で使用する引出箱３は前記実施形態１と同じである。よって説明を省略する。
また、実施形態１と同一符号を付した部分は同一又は同機能の部品である。また、実施形態２の箱主体１と仕切部材２の展開図を図８（ａ），（ｂ）に示し、谷折り線を破線で、山折り線を一点鎖線で表した。
【００１２】
箱主体１は、全体が紙（板紙又は段ボール紙）又は合成樹脂製であって、前記実施形態１の内枠１ｂに設けられていた重合片６０が箱主体１の側板６前縁にフラップ状に連設されている。この重合片６０は仕切部材２の脚片２ｂと幕片２ｃに対応すべく上下に分割して設けられている。なお、図７中符号１１は箱主体１の天板４と底板５の前縁に連設した折込片、図８（ａ）中符号１２は底板５と側板６を接合する糊付け片である。
【００１３】
実施形態２の箱主体１の後板７は図８（ａ），図９（ａ）〜（ｃ）に示したように、天板４と底板５に連設した外フラップ７ａ，７ａと、両側板６，６に連設した内フラップ７ｂ，７ｂの組み合わせであり、図９（ｂ）のように内フラップ７ｂ，７ｂを先に折り、図９（ｃ）のように外フラップ７ａ，７ａを内フラップ７ｂ，７ｂの上に折り重ね、さらに内フラップ７ｂ，７ｂの端縁に切り込んだスリット７ｃ，７ｃに外フラップ７ａ，７ａに突設した突片７ｄ，７ｄを差し込んで構成する。
【００１４】
一方、仕切部材２は図７に示したように脚片２ｂ，２ｂと幕片２ｃ，２ｃの長さが水平板２ａの奥行き、すなわち箱主体１の奥行きと一致する点を除いて実施形態１の仕切部材２と同じである。なお、図７，図８（ｂ）において符号１３は水平板２ａと左右の脚片２ｂ，２ｂの境界部と、水平板２ａと幕片２ｃ，２ｃの境界部に設けた切込線であり、この切込線１３に合わせて前記重合片６０に下又は上向きの爪片１４が設けられている。
【００１５】
次に実施形態２の引出付き箱の組立方法について説明する。先ず、図８（ａ）の展開状態から各折線を折って糊付け片１２を糊付けし、上記の要領で後板７を組んで図７のように箱主体１を作る。次に図８（ｂ）の展開状態から各折線を折って図７のように仕切部材２を組み立てる。次に箱主体１の開口から仕切部材２を差し入れる。そうすると、水平板２ａの後縁に設けた脚片２ｂと幕片２ｃが箱主体１の後板７内面に当接し（このとき後板７の内面には外フラップ７ａの突片７ｄが突き出ているが、その突片７ｄは脚片２ｂと幕片２ｃの間に収まる。）、一方、水平板２ａの両側縁に設けた脚片２ｂ，２ｂと幕片２ｃ，２ｃが箱主体１の側板６内面に当接する。
【００１６】
次に箱主体１の側板６前縁にある重合片６０を内側に折り込んで脚片２ｂ，２ｂと幕片２ｃ，２ｃの先端部を挟む。これにより仕切部材２が開口から抜けない状態にロックされるから、引出箱３を出し入れすることが可能になる。なお、重合片６０は、前記爪片１４が仕切部材２の切込線１３に嵌るため、脚片２ｂ，２ｂと幕片２ｃ，２ｃに当接した状態でロックされる。
【００１７】
【発明の実施形態３】
次に本発明の実施形態３を図１０〜図１６を参照しつつ説明する。なお、実施形態１と同一符号を付した部分は同一又は同機能の部品である。また、実施形態３の箱主体１と仕切部材２と後述するトレー部材１５の展開図を図１２（ａ）〜（ｃ）に示し、谷折り線を破線で、山折り線を一点鎖線で表した。
【００１８】
実施形態３で使用する引出箱３は前記実施形態１と殆ど同じであるが、摘み９の部分が相違する。すなわち、実施形態３の引出箱３は、前側板３ｆの上縁に逆三角形の指掛凹部１６を形成し、その指掛凹部１６が前記摘み９に代わる。図１５（ａ）において谷折り線１７でダイヤモンド形に囲った部分が組立後に指掛凹部１６となり、その際、谷折り線１７より先の折込代１８を図１６（ａ）〜（ｃ）のように前側板３ｆの内部に折り込んで、指掛凹部１６の端面に鋭いエッジが露出しないようにしてある。また、指掛凹部１６の直下には前側板３ｆを貫くように止め孔１９が設けてあり、この止め孔１９に合成樹脂製のホック２０（図１０参照）を通して指掛凹部１６の口が開かないようにしてある。なお、実施形態では指掛凹部１６の裏側に親指状の舌片２１が形成してあり、その舌片２１を図１６（ｄ），（ｅ）のように前側板３ｆの表に曲げて前記ホック２０（図１０参照）で止めるようになっている。こうすることにより逆三角形にした指掛凹部１６のＶ字の谷が装飾的にしかも危険なエッジを露出させずに処理することができる。
【００１９】
しかして実施形態３の引出付き箱は、前記箱主体１が、仕切部材２で仕切った上の領域を上面開口状の筒形にして枠状頂部２２を形成すると共にその枠状頂部２２にトレー部材１５を嵌合させるようになし、さらにそのトレー部材１５の上面に蓋状の天板４を被せるようにしたことを特徴とする。
【００２０】
前記箱主体１は、全体が紙（板紙又は段ボール紙）又は合成樹脂製であって、図１３（ａ）に示したように、底板５が開閉式になっており、図１３（ｂ）に示したように底板５を開いた状態にしてその口から仕切部材２を装着する。仕切部材２にはトレー部材１５に係合する突片状のストッパー片２３が後縁に突設されているが、上記のように底板５を開いて下から入れれば、そのストッパー片２３に折り癖などを付けずに真っ直ぐ立たせたまま装着できる。
【００２１】
一方、トレー部材１５は図１２（ｃ）に示したように、四角い基板１５ａの四辺に二つ折りにして二重構造にした周壁１５ｂを設けたものであり、その周壁１５ｂを起立させて枠状頂部２２に嵌め込み、同時に後の周壁１５ｂの内部に前記仕切部材２のストッパー片２３をくわえこんで仕切部材２の前移動を阻止するようになっている。従って引出箱３を出し入れしても仕切部材２が抜けるおそれはない。
【００２２】
また、箱主体１の天板４は、後板７との境界部にある折線２４をヒンジ部として開閉自在になっており蓋として機能する。もちろんこの天板４は箱主体１から切り離して着脱自在にしてもよいのであり、その場合は枠状頂部２２の後縁に立て掛けて起立可能にすればよい。
【００２３】
以上本発明を実施の形態について説明したが、もちろん本発明は上記実施形態に限定されるものではない。例えば、実施形態３の引出箱３を実施形態１，２に適用するようにしてもよいし、逆に実施形態１，２の引出箱３を実施形態３に適用してもよい。また、実施形態１，２では仕切部材２の水平板２ａを二重構造にして幕片２ｃを設けたが、水平板２ａを一枚構造にして脚片２ｂのみ設けるようにしてもよい。もっとも水平板２ａを二重構造にしてさらに幕片２ｃを形成すれば、仕切部材２の強度が高まり且つ幕片２ｃで箱主体１の内部の紙の地色がカバーできる点で有用性がある。
【００２４】
【発明の効果】
本発明の引出付き箱は、簡単な構造で生産性がよく、しかも高い強度を発揮する。
【図面の簡単な説明】
【図１】引出付き箱の斜視図である。
【図２】箱主体の斜視図である。
【図３】箱主体と仕切部材の分解斜視図である。
【図４】（ａ）は内枠の展開図、（ｂ）は仕切部材の展開図である。
【図５】引出箱の展開図である。
【図６】箱主体に仕切部材を組んだ斜視図である。
【図７】箱主体と仕切部材の分解斜視図である。
【図８】（ａ）は箱主体の展開図、（ｂ）は仕切部材の展開図である。
【図９】（ａ）〜（ｃ）は後板の組立工程を示す斜視図である。
【図１０】引出付き箱の斜視図である。
【図１１】引出付き箱の斜視図である。
【図１２】（ａ）は箱主体の展開図、（ｂ）は仕切部材の展開図、（ｃ）はトレー部材の展開図である。
【図１３】（ａ）〜（ｃ）は箱主体と仕切部材の組立工程を示す斜視図である。
【図１４】引出付き箱の分解斜視図である。
【図１５】引出箱の展開図である。
【図１６】（ａ）〜（ｅ）は引出箱の前側板の組立工程を示す斜視図である。
【符号の説明】
１  …箱主体
２  …仕切部材
２ａ…水平板
２ｂ…脚片
３  …引出箱
４  …天板
６  …側板
６０…重合片
１５…トレー部材
２２…枠状頂部
【図１】
2004210370.tif 000003
【図２】
2004210370.tif 000004
【図３】
2004210370.tif 000005
【図４】
2004210370.tif 000006
【図５】
2004210370.tif 000007
【図６】
2004210370.tif 000008
【図７】
2004210370.tif 000009
【図８】
2004210370.tif 000010
【図９】
2004210370.tif 000011
【図１０】
2004210370.tif 000012
【図１１】
2004210370.tif 000013
【図１２】
2004210370.tif 000014
【図１３】
2004210370.tif 000015
【図１４】
2004210370.tif 000016
【図１５】
2004210370.tif 000017
【図１６】
2004210370.tif 000018